(57)【要約】【目的】自由なレイアウトで商品を紹介する。【構成】クライアント・コンピュータの表示画面には，商品紹介ウェブ・ページ150が表示される。このウェブ・ページ150には，紹介者がレイアウト可能な商品画像162〜167を含む商品紹介画像151が表示されている。商品画像162〜167には，商品を販売するサイトへのリンクが埋め込まれており，クリックされることにより商品販売サイトのウェブ・ページが表示される。商品画像162〜167は，紹介者の自由にレイアウトでき，商品を紹介できる。【選択図】図16
2010039591.tif 000002
【特許請求の範囲】
【請求項１】
互いに通信可能な第１のウェブ・サーバと第１のクライアント・コンピュータとを含む商品紹介システムにおいて，
上記第１のウェブ・サーバが，
部屋の画像を表す部屋画像データを上記第１のクライアント・コンピュータに送信する部屋画像データ送信手段，
商品画像を表す商品画像データを上記第１のクライアント・コンピュータに送信する商品画像データ送信手段，および
上記商品画像に埋め込まれるリンク・データであって，上記商品画像の商品を販売するウェブ・ページのリンクを表すリンク・データを上記クライアント・コンピュータに送信するリンク・データ送信手段を備え，
上記第１のクライアント・コンピュータが，
上記第１のウェブ・サーバの上記部屋画像データ送信手段から送信された部屋画像データによって表される部屋画像上に，上記第１のウェブ・サーバの上記商品画像データ送信手段から送信された商品画像を，上記第１のウェブ・サーバの上記リンク・データ送信手段から送信されたリンク・データを埋め込んで表示画面に表示するように表示装置を制御する第１の表示制御手段，
上記第１の表示制御手段の制御のもとに表示画面に表示されている商品画像のレイアウトを変更するレイアウト変更手段，ならびに
上記レイアウト変更手段によって変更されたレイアウトを表わすレイアウト・ファイル，上記レイアウト変更手段によってレイアウトが変更された商品画像を表す商品画像データおよび上記第１のウェブ・サーバの上記部屋画像データ送信手段から送信された部屋画像データを上記第１のウェブ・サーバまたは第２のウェブ・サーバに送信する第１の商品／部屋画像データ送信手段を備え，
上記第１のウェブ・サーバまたは上記第２のウェブ・サーバが，
上記第１のクライアント・コンピュータまたは第２のクライアント・コンピュータからのリクエストに応じて，上記第１のクライアント・コンピュータの上記第１の商品／部屋画像データ送信手段から送信された上記レイアウト・ファイル，上記商品画像データおよび上記部屋画像データを，リクエストした上記第１のクライアント・コンピュータまたは上記第２のクライアント・コンピュータに送信する第２の商品／部屋画像データ送信手段を備え，
上記第１のクライアント・コンピュータまたは上記第２のクライアント・コンピュータが，
上記第２の商品／部屋画像データ送信手段から送信された部屋画像データによって表される部屋画像上に，上記第２の商品／部屋画像データ送信手段から送信されたレイアウト・ファイルによって表わされるレイアウトで，上記第２の商品／部屋画像データ送信手段から送信された商品画像を表示画面に表示するように表示装置を制御する第２の表示制御手段，および
上記第２の表示制御手段による制御にもとづいて部屋画像上に表示されている商品画像がクリックされたことに応じて，クリックされた商品画像に埋め込まれているリンク・データによって表されるリンク先の商品販売のウェブ・ページのリクエストを上記第１のウェブ・サーバに送信するウェブ・ページ・リクエスト送信手段，
を備えた商品紹介支援システム。
【請求項２】
上記第１のウェブ・サーバが，
上記第１のクライアント・コンピュータまたは上記第２のクライアント・コンピュータの上記ウェブ・ページ・リクエスト送信手段から送信されたリクエストに応じて，商品販売のウェブ・ページを表すウェブ・ページ・データをリクエストした上記第１のクライアント・コンピュータまたは上記第２のクライアント・コンピュータに送信するウェブ・ページ・データ送信手段，
をさらに備えている請求項１に記載の商品紹介支援システム。
【請求項３】
互いに通信可能な第１のウェブ・サーバと第１のクライアント・コンピュータとを含む商品紹介システムの動作制御方法において，
上記第１のウェブ・サーバの部屋画像データ送信手段が，部屋の画像を表す部屋画像データを上記第１のクライアント・コンピュータに送信し，
上記第１のウェブ・サーバの商品画像データ送信手段が，商品画像を表す商品画像データを上記第１のクライアント・コンピュータに送信し，
上記第１のウェブ・サーバのリンク・データ送信手段が，上記商品画像に埋め込まれるリンク・データであって，上記商品画像の商品を販売するウェブ・ページのリンクを表すリンク・データを上記クライアント・コンピュータに送信し，
上記第１のクライアント・コンピュータの第１の表示制御手段が，上記第１のウェブ・サーバの上記部屋画像データ送信手段から送信された部屋画像データによって表される部屋画像上に，上記第１のウェブ・サーバの上記商品画像データ送信手段から送信された商品画像を，上記第１のウェブ・サーバの上記リンク・データ送信手段から送信されたリンク・データを埋め込んで表示画面に表示するように表示装置を制御し，
上記第１のクライアント・コンピュータのレイアウト変更手段が，上記第１の表示制御手段の制御のもとに表示画面に表示されている商品画像のレイアウトを変更し，
上記第１の商品／部屋画像データ送信手段が，上記レイアウト変更手段によって変更されたレイアウトを表わすレイアウト・ファイル，上記レイアウト変更手段によってレイアウトが変更された商品画像を表す商品画像データおよび上記第１のウェブ・サーバの上記部屋画像データ送信手段から送信された部屋画像データを上記第１のウェブ・サーバまたは第２のウェブ・サーバに送信し，
上記第１のウェブ・サーバまたは上記第２のウェブ・サーバの第２の商品／部屋画像データ送信手段が，上記第１のクライアント・コンピュータまたは第２のクライアント・コンピュータからのリクエストに応じて，上記第１のクライアント・コンピュータの上記第１の商品／部屋画像データ送信手段から送信された上記レイアウト・ファイル，上記商品画像データおよび上記部屋画像データを，リクエストした上記第１のクライアント・コンピュータまたは上記第２のクライアント・コンピュータに送信し，
上記第１のクライアント・コンピュータまたは上記第２のクライアント・コンピュータの第２の表示制御手段が，上記第２の商品／部屋画像データ送信手段から送信された部屋画像データによって表される部屋画像上に，上記第２の商品／部屋画像データ送信手段から送信されたレイアウト・フィイルによって表わされるレイアウトで，上記第２の商品／部屋画像データ送信手段から送信された商品画像を表示画面に表示するように表示装置を制御し，
上記第１のクライアント・コンピュータまたは上記第２のクライアント・コンピュータのウェブ・ページ・リクエスト送信手段が，上記第２の表示制御手段による制御にもとづいて部屋画像上に表示されている商品画像がクリックされたことに応じて，クリックされた商品画像に埋め込まれているリンク・データによって表されるリンク先の商品販売のウェブ・ページのリクエストを上記第１のウェブ・サーバに送信する，
商品紹介支援システムの動作制御方法。
【請求項４】
互いに通信可能なウェブ・サーバと第１のクライアント・コンピュータとを含む商品紹介システムを構成する上記ウェブ・サーバを制御するプログラムであって，
部屋の画像を表す部屋画像データ，商品画像を表す商品画像データおよび上記商品画像に埋め込まれるリンク・データであって，上記商品画像の商品を販売するウェブ・ページのリンクを表すリンク・データを上記第１のクライアント・コンピュータに送信させ，
上記部屋画像データによって表される部屋画像上に，上記商品画像データによって表される商品画像を，上記リンク・データを埋め込んで，上記第１のクライアント・コンピュータの表示装置の表示画面に表示し，商品画像のレイアウトが変更された場合に上記第１のクライアント・コンピュータから送信される，変更されたレイアウトを表わすレイアウト・ファイル，レイアウトが変更された商品画像を表す商品画像データおよび上記部屋画像データを受信させ，
上記第１のクライアント・コンピュータまたは上記第２のクライアント・コンピュータからのリクエストに応じて，上記第１のクライアント・コンピュータから送信された上記レイアウト・ファイル，上記商品画像データおよび上記部屋画像データを，リクエストした上記第１のクライアント・コンピュータまたは上記第２のクライアント・コンピュータに送信するように上記ウェブ・サーバを制御するコンピュータ読み取り可能なプログラム。
【請求項５】
請求項４に記載のプログラムを格納した記録媒体。
【発明の詳細な説明】
【技術分野】
【０００１】
この発明は，商品紹介支援システムおよびその制御方法ならびにウェブ・サーバを制御するプログラムに関する。
【背景技術】
【０００２】
近年のインターネット関連技術の発達により，様々なサービスがコンピュータを介して行われるようになった。とくに，市場の拡大が進んでいるのは商品を販売するウェブ・サイトである。このようなウェブ・サイトにおいては，商品情報をユーザが取得し，配送方法，代金納入方法などをユーザが指定することができるので，商品情報の取得から商品の購入までをウェブ・ページ上で一括して行うことができる。インターネットを利用した商品購入のプラットフォームが確立すると，商品購入に関する技術はユーザに商品を検索させるものからユーザに商品を紹介するという方向にシフトするようになってきた。たとえば，商品購入のウェブ・サイトにおいて，ユーザに個別ＩＤを発行し，ユーザが過去に購入した商品や検索した商品の履歴から，ユーザが次に購入する確率の高い商品をウェブ・サイトの個人ページに表示するものがある（特許文献１，２）。
【特許文献１】特開2002-117324号公報
【特許文献２】特開2002-183473号公報
【０００３】
また，ユーザの個人ページに，商品を購入するウェブ・サイトへのリンクが埋め込まれた商品の情報を貼り付けるアフィリエイトも現在隆盛を極めている。そのユーザの個人ページから商品を購入した場合にユーザに利益が還元される。
【０００４】
しかしながら，従来のアフィリエイトでは，ユーザは，個人ページに商品の紹介文を記述し，その紹介文の近くに，その商品を販売するウェブ・サイトのリンクを埋め込むことが多い。このために，商品の画像を入れ替えると個人ページのレイアウトが崩れたり，商品の画像を所定位置に表示しようとすると紹介文の位置が自由に変更できなかったりする。また，個人ページはブログ形式が多いために商品紹介のページは時系列で分断されることがある。
【発明の開示】
【０００５】
この発明は，比較的自由に商品の紹介をできるようにすることを目的とする。
【０００６】
この発明は，互いに通信可能な第１のウェブ・サーバと第１のクライアント・コンピュータとを含む商品紹介システムについてのものである。
【０００７】
上記第１のウェブ・サーバは，部屋の画像を表す部屋画像データを上記第１のクライアント・コンピュータに送信する部屋画像データ送信手段，商品画像を表す商品画像データを上記第１のクライアント・コンピュータに送信する商品画像データ送信手段，および  上記商品画像に埋め込まれるリンク・データであって，上記商品画像の商品を販売するウェブ・ページのリンクを表すリンク・データを上記クライアント・コンピュータに送信するリンク・データ送信手段を備えている。
【０００８】
上記第１のクライアント・コンピュータは，上記第１のウェブ・サーバの上記部屋画像データ送信手段から送信された部屋画像データによって表される部屋画像上に，上記第１のウェブ・サーバの上記商品画像データ送信手段から送信された商品画像を，上記第１のウェブ・サーバの上記リンク・データ送信手段から送信されたリンク・データを埋め込んで表示画面に表示するように表示装置を制御する第１の表示制御手段，上記第１の表示制御手段の制御のもとに表示画面に表示されている商品画像のレイアウトを変更するレイアウト変更手段，ならびに上記レイアウト変更手段によって変更されたレイアウトを表わすレイアウト・ファイル，上記レイアウト変更手段によってレイアウトが変更された商品画像を表す商品画像データおよび上記第１のウェブ・サーバの上記部屋画像データ送信手段から送信された部屋画像データを上記第１のウェブ・サーバまたは第２のウェブ・サーバに送信する第１の商品／部屋画像データ送信手段を備えている。
【０００９】
上記第１のウェブ・サーバまたは上記第２のウェブ・サーバは，上記第１のクライアント・コンピュータまたは第２のクライアント・コンピュータからのリクエストに応じて，上記第１のクライアント・コンピュータの上記第１の商品／部屋画像データ送信手段から送信された上記レイアウト・ファイル，上記商品画像データおよび上記部屋画像データを，リクエストした上記第１のクライアント・コンピュータまたは上記第２のクライアント・コンピュータに送信する第２の商品／部屋画像データ送信手段を備えている。
【００１０】
上記第１のクライアント・コンピュータまたは上記第２のクライアント・コンピュータは，上記第２の商品／部屋画像データ送信手段から送信された部屋画像データによって表される部屋画像上に，上記第２の商品／部屋画像データ送信手段から送信されたレイアウト・ファイルによって表わされるレイアウトで，上記第２の商品／部屋画像データ送信手段から送信された商品画像を表示画面に表示するように表示装置を制御する第２の表示制御手段，および上記第２の表示制御手段による制御にもとづいて部屋画像上に表示されている商品画像がクリックされたことに応じて，クリックされた商品画像に埋め込まれているリンク・データによって表されるリンク先の商品販売のウェブ・ページのリクエストを上記第１のウェブ・サーバに送信するウェブ・ページ・リクエスト送信手段を備えている。
【００１１】
この発明は，上記商品紹介支援システムに適した動作制御方法も提供している。すなわち，この方法は，互いに通信可能な第１のウェブ・サーバと第１のクライアント・コンピュータとを含む商品紹介システムの動作制御方法である。
【００１２】
上記第１のウェブ・サーバの部屋画像データ送信手段が，部屋の画像を表す部屋画像データを上記第１のクライアント・コンピュータに送信し，上記第１のウェブ・サーバの商品画像データ送信手段が，商品画像を表す商品画像データを上記第１のクライアント・コンピュータに送信し，上記第１のウェブ・サーバのリンク・データ送信手段が，上記商品画像に埋め込まれるリンク・データであって，上記商品画像の商品を販売するウェブ・ページのリンクを表すリンク・データを上記クライアント・コンピュータに送信する。
【００１３】
上記第１のクライアント・コンピュータの第１の表示制御手段が，上記第１のウェブ・サーバの上記部屋画像データ送信手段から送信された部屋画像データによって表される部屋画像上に，上記第１のウェブ・サーバの上記商品画像データ送信手段から送信された商品画像を，上記第１のウェブ・サーバの上記リンク・データ送信手段から送信されたリンク・データを埋め込んで表示画面に表示するように表示装置を制御し，上記第１のクライアント・コンピュータのレイアウト変更手段が，上記第１の表示制御手段の制御のもとに表示画面に表示されている商品画像のレイアウトを変更し，上記第１の商品／部屋画像データ送信手段が，上記レイアウト変更手段によって変更されたレイアウトを表わすレイアウト・ファイル，上記レイアウト変更手段によってレイアウトが変更された商品画像を表す商品画像データおよび上記第１のウェブ・サーバの上記部屋画像データ送信手段から送信された部屋画像データを上記第１のウェブ・サーバまたは第２のウェブ・サーバに送信する。
【００１４】
上記第１のウェブ・サーバまたは上記第２のウェブ・サーバの第２の商品／部屋画像データ送信手段が，上記第１のクライアント・コンピュータまたは第２のクライアント・コンピュータからのリクエストに応じて，上記第１のクライアント・コンピュータの上記第１の商品／部屋画像データ送信手段から送信された上記レイアウト・ファイル，上記商品画像データおよび上記部屋画像データを，リクエストした上記第１のクライアント・コンピュータまたは上記第２のクライアント・コンピュータに送信する。
【００１５】
上記第１のクライアント・コンピュータまたは上記第２のクライアント・コンピュータの第２の表示制御手段が，上記第２の商品／部屋画像データ送信手段から送信された部屋画像データによって表される部屋画像上に，上記第２の商品／部屋画像データ送信手段から送信されたレイアウト・ファイルによって表わされるレイアウトで，上記第２の商品／部屋画像データ送信手段から送信された商品画像を表示画面に表示するように表示装置を制御し，上記第１のクライアント・コンピュータまたは上記第２のクライアント・コンピュータのウェブ・ページ・リクエスト送信手段が，上記第２の表示制御手段による制御にもとづいて部屋画像上に表示されている商品画像がクリックされたことに応じて，クリックされた商品画像に埋め込まれているリンク・データによって表されるリンク先の商品販売のウェブ・ページのリクエストを上記第１のウェブ・サーバに送信する。
【００１６】
この発明は，上記第１のウェブ・サーバを制御するプログラムおよびそのプログラムを格納した記録媒体も提供している。
【００１７】
この発明によると，第１のウェブ・サーバから第１のクライアント・コンピュータに，部屋画像データ，商品画像データおよび商品画像に埋め込まれるリンク・データであって，商品画像の商品を販売するウェブ・ページへのリンクを表すリンク・データが送信される。第１のクライアント・コンピュータの表示装置の表示画面に，部屋画像データによって表される部屋画像が表示され，この部屋画像上に商品画像データによって表され，かつリンク・データが埋め込まれている商品画像が表示される。第１のクライアント・コンピュータのユーザによって，商品画像のレイアウトが変更させられる。変更させられたレイアウトを表わすレイアウト・ファイル，レイアウトが変更させられた商品画像データ，部屋画像データが第１のウェブ・サーバまたは第２のウェブ・サーバに送信される。
【００１８】
第１のウェブ・サーバまたは第２のウェブ・サーバに，第１のクライアント・コンピュータまたは第２のクライアント・コンピュータからリクエストがあると，そのリクエストに応じて，商品画像データおよび部屋画像データが送信される。第１のクライアント・コンピュータまたは第２のクライアント・コンピュータの表示装置の表示画面に，部屋画像が表示され，その部屋画像上に変更させられたレイアウトの商品画像が表示される。表示されている商品画像がクリックされると，クリックされた商品画像に埋め込まれているリンク・データによって表されるリンク先の商品販売のウェブ・ページのリクエストが第１のウェブ・サーバに送信される。すると，第１のウェブ・サーバからリクエストした第１のクライアント・コンピュータまたは第２のクライアント・コンピュータに，商品販売のウェブ・ページを示すデータが送信される。第１のクライアント・コンピュータまたは第２のクライアント・コンピュータに商品販売のウェブ・ページが表示される。
【００１９】
部屋画像上に商品画像をレイアウトすることができ，その商品画像がクリックされることにより，その商品を販売するウェブ・ページが表示されるようになるので，比較的自由に商品を紹介できるようになる。
【００２０】
上記第１のウェブ・サーバは，上記第１のクライアント・コンピュータまたは上記第２のクライアント・コンピュータの上記ウェブ・ページ・リクエスト送信手段から送信されたリクエストに応じて，商品販売のウェブ・ページを表すウェブ・ページ・データをリクエストした上記第１のクライアント・コンピュータまたは上記第２のクライアント・コンピュータに送信するウェブ・ページ・データ送信手段をさらに備えることが好ましい。
【００２１】
この発明は，上記第１のウェブ・サーバを制御するプログラムおよびそのプログラムを格納した記録媒体も提供している。
【実施例】
【００２２】
図１は，この発明の実施例を示すもので，商品紹介システムの概要を示している。
【００２３】
この実施例による商品紹介システムには，インターネットを介して通信可能な第１のクライアント・コンピュータ１，第２のクライアント・コンピュータ２，第１のウェブ・サーバ11および第２のウェブ・サーバ12が含まれている。後述する動作を行わせるためのプログラムがそれぞれのコンピュータ１および２ならびにサーバ11および12にインストールされている。このようなプログラムはCD-ROM（コンパクト・ディスク・リード・オンリ・メモリ）に格納されて読み取られる。
【００２４】
この実施例においては，第１のクライアント・コンピュータ１のユーザは，商品を紹介する者であり，商品を紹介するウェブ・サイトを表すデータが第２のウェブ・サーバ12に格納されている。第２のクライアント・コンピュータ２のユーザは，商品を閲覧する者（購入する者）である。第１のウェブ・サーバ11には，商品を販売するウェブ・サイトを表すデータが格納されている。第１のウェブ・サーバ11と第２のウェブ・サーバ12とは，別々のものとされているが共通のサーバであってもよい。また，第２のクライアント・コンピュータ２は，一台のみが図示されているが，多数台存在するのはいうまでもない。
【００２５】
この実施例においては，第１のクライアント・コンピュータ１のユーザである商品紹介者の商品紹介サイトに第２のクライアント・コンピュータ１のユーザである商品閲覧者がアクセスする。その商品紹介サイトのウェブ・ページには商品販売サイトにリンク付けされている商品画像が表示されており，商品画像がクリックされることにより，リンク先である商品販売サイトが第２のクライアント・コンピュータ２の表示画面に表示される。より詳しくは，以下の説明によって明らかとなろう。
【００２６】
図２は，第２のウェブ・サーバ12の電気的構成を示すブロック図である。図２においては，第１のウェブ・サーバ11に接続されている商品データベース23も図示されている。
【００２７】
第２のウェブ・サーバ12の全体の動作は，制御装置20によって統括される。
【００２８】
第２のウェブ・サーバ12には，入力インターフェイス（キーボード，マウス，インターネットと接続するための通信インターフェイス，画像ファイル等を入力する画像入力インターフェイス，商品情報等を入力する商品情報入力インターフェイスを含む）22が含まれている。入力インターフェイス22によって商品データベース23が第２のウェブ・サーバ12と接続される。すると，商品データベース23に格納されている商品情報を表すデータが第２のウェブ・サーバ12に入力される。
【００２９】
第２のウェブ・サーバ12には，後述するように部屋画像および商品画像をそれぞれ表すファイルを格納する部屋画像／商品画像データベース27および入力した商品情報を格納する商品情報データベース28も含まれている。これらの部屋画像／商品画像データベース27および商品情報データベース28は，商品画像管理装置26によってデータ等の読み取りおよび書き込みが制御される。
【００３０】
第２のウェブ・サーバ12には，さらに出力装置（表示装置，プリンタ）24および画像制御装置25も含まれている。
【００３１】
第１のウェブ・サーバ11も第２のウェブ・サーバ12と同様の構成をしている。第１のクライアント・コンピュータ１および第２のクライアント・コンピュータ２には，ＣＰＵ，メモリ，ハードディスク，ハードディスク・ドライバ，表示装置，キーボード，マウス，通信装置などが含まれている。
【００３２】
図３から図５は，商品紹介システムの処理手順を示すフローチャートであり，主として，商品を紹介するウェブ・ページの生成およびそのウェブ・ページのレイアウト変更ならびにそのウェブ・ページを生成するために必要な画像を取得する手順を示している。図３および図４は第１のクライアント・コンピュータ１の処理手順を示し，図５は第１のウェブ・サーバ11の処理手順を示している。
【００３３】
まず，第１のクライアント・コンピュータ１が第１のウェブ・サーバ11にアクセスして，第１のウェブ・サーバ11から第１のクライアント・コンピュータ11に商品画像登録ウェブ・ページを表すウェブ・ページ・データが送信される。すると，第１のクライアント・コンピュータ１の表示装置の表示画面に商品画像登録ウェブ・ページが表示される（図３ステップ31）。
【００３４】
図７は，商品画像登録ウェブ・ページ90の一例である。
【００３５】
商品画像登録ウェブ・ページ90の左上には複数の画像表示領域91が形成されている。これらの複数の画像表示領域91の右側には，画像表示領域91に表示される画像の説明を表示する画像説明領域92が形成されている。画像説明領域92の右側には画像編集領域93Ａおよびレビュー書き込み領域93Ｂが形成されている。画像編集領域93Ａは画像の色，大きさなどを変更するときにクリックされる領域である。レビュー書き込み領域93Ｂは，画像のレビュー（後述するようにダイアログ・ボックスに表示される。図１７（Ａ），（Ｂ）参照）を書き込むときにクリックされる領域である。
【００３６】
商品画像登録ウェブ・ページ90の中央よりもやや下には画像保存領域94が形成されている。画像表示領域91に表示される画像が画像保存領域94にドラッグ・アンド・ドロップされることにより，画像保存領域94に，そのドロップされた画像が表示されるようになる。画像保存領域94に表示されている画像95は，第１のクライアント・コンピュータ１のユーザである商品紹介者の商品紹介サイトのウェブ・ページに表示することができる画像を示している。
【００３７】
商品画像登録ウェブ・ページ90の下部には，商品紹介領域96，レイアウト変更領域97および画像取得領域98が表示されている。商品紹介領域96は，後述するように商品紹介ウェブ・ページ（図16参照）を表示するときにクリックされる領域である。レイアウト変更領域96は商品紹介ウェブ・ページのレイアウトを変更するときにクリックされる領域である。画像取得領域98は，画像（部屋画像，商品画像）を取得するときにクリックされる領域である。
【００３８】
図３に戻って，商品画像登録ウェブ・ページ90のいずれかの領域がクリックされたかどうかが判断される（ステップ32）。
【００３９】
まず，画像取得領域98がクリックされたものとする。すると，画像取得コマンドが第１のクライアント・コンピュータ１から第１のウェブ・サーバ11に送信される（ステップ33）。
【００４０】
第１のクライアント・コンピュータ１から送信された画像取得コマンドが第１のウェブ・サーバ11において受信されると（図５ステップ61でＹＥＳ），画像取得用ウェブ・ページ・データが第１のウェブ・サーバ11から第１のクライアント・コンピュータ１に送信される（図５ステップ62）。
【００４１】
第１のウェブ・サーバ11から送信された画像取得用ウェブ・ページ・データが第１のクライアント・コンピュータ１において受信されると（図３ステップ34），第１のクライアント・コンピュータ１の表示画面に画像取得用ウェブ・ページが表示される（図３ステップ35）。
【００４２】
図８は，画像取得用ウェブ・ページ100の一例である。
【００４３】
画像取得用ウェブ・ページ100の上部に，カテゴリ指定領域101，色指定領域102および表示順序指定領域103が形成されている。カテゴリ指定領域101は，画像取得用ウェブ・ページ100に表示させる画像のカテゴリを指定するものである。カテゴリ指定領域101はプルダウンすることができ，プルダウンすることにより様々なカテゴリが現れる。現れたカテゴリの中から所望のカテゴリを指定できる。たとえば，部屋の画像のカテゴリ，商品の画像であれば，商品の種類など。色指定領域102もプルダウンすることができ，プルダウンすることにより様々な色が現れる。現れた色の中から所望の色を指定できる。表示順序指定領域103もプルダウンすることができ，プルダウンすることにより画像取得用ウェブ・ページ100に表示させる画像の順序を規定できる。たとえば，新規登録順，人気のある順，コメントの多い順など。
【００４４】
画像取得用ウェブ・ページ100の中央部分に画像104が表示されている。これらの画像104は，カテゴリ指定領域101，色指定領域102および表示順序指定領域103における指定に合致した画像である。図８に示す例では部屋の画像が表示されている。
【００４５】
画像取得用ウェブ・ページ100の下部には，基本アイテム取得領域105，部屋画像／商品画像取得領域106および商品画像登録領域107が形成されている。基本アイテム取得領域105は，部屋画像に配置可能な基本的なアイテム（棚，クローゼットなど）を取得するときにクリックされる領域である。部屋画像／商品画像取得領域106は，部屋画像，商品画像を取得するときにクリックされる領域である。商品画像登録ウインドウ領域107は，図７に示す商品画像登録ウェブ・ページ90を表示するときにクリックされる領域である。
【００４６】
図３に戻って，表示画面に表示されている画像取得用ウェブ・ページ100に表示されている画像104の中から所望の画像がクリックされることにより，部屋画像または商品画像の選択が行われる（ステップ36）。画像が選択された後に部屋画像／商品画像取得領域106がクリックされると選択された画像の取得コマンドが第１のクライアント・コンピュータ１から第１のウェブ・サーバ11に送信される（ステップ37）。
【００４７】
第１のクライアント・コンピュータ１から送信された取得コマンドが第１のウェブ・サーバ11において受信されると（図５ステップ63），選択された部屋画像または商品画像を表す画像ファイル，スペック・ファイルが第１のウェブ・サーバ11から第１のクライアント・コンピュータ１に送信される（図５ステップ64）。
【００４８】
図６（Ａ）〜（Ｃ）は，この実施例において，第１のウェブ・サーバ１と第１のクライアント・コンピュータ11との間で通信されるファイルのファイル構造を示している。
【００４９】
図６（Ａ）は，部屋画像ファイルおよび商品画像ファイルのファイル構造を示している。
【００５０】
部屋画像ファイルおよび商品画像ファイルのファイル70は，いずれもヘッダ領域71と画像データ領域72とを有している。ヘッダ領域71には，ファイル名を含むファイルの管理情報が格納されている。画像データ領域72には部屋画像を表す部屋画像データまたは商品画像を表す商品画像データが格納されている。
【００５１】
図６（Ｂ）は，商品画像スペック・ファイルのファイル構造を示している。
【００５２】
商品画像スペック・ファイル80はヘッダ領域81とデータ領域82とを含んでいる。ヘッダ領域81には，商品画像スペック・ファイル80のファイル名を含む管理情報が格納されている。データ領域82には商品画像ファイル70に格納されている商品画像データによって表される商品画像（商品）についての説明（商品画像登録ウェブ・ページの商品説明領域92に表示される），商品名，商品の販売サイトへのリンク，商品の料金，などの各種データが格納されている。
【００５３】
図６（Ｃ）は，レイアウト・ファイルのファイル構造を示している。
【００５４】
レイアウト・ファイル85もヘッダ領域86とデータ領域87とを含んでいる。ヘッダ領域86には，レイアウト・ファイル85のファイル名を含む管理情報が格納されている。データ領域87には，レイアウト等を規定するＸＭＬ（Extensible Markup Language）データが格納されている。このＸＭＬデータについての詳細は，後述する（図13参照）。
【００５５】
第１のウェブ・サーバ11から送信された画像ファイル等が第１のクライアント・コンピュータ１において受信されると（図３ステップ38），第１のクライアント・コンピュータ１の表示画面には，再び商品画像登録ウェブ・ページ90が表示される（図４ステップ39）。部屋画像が選択されたものとする。
【００５６】
図９は，商品画像登録ウェブ・ページ90の一例である。この図において，図７に示すものと同一物については同一符号を付している。
【００５７】
画像表示領域91には，第１のクライアント・コンピュータ１のユーザによって選択された部屋の画像99が表示されている。画像表示領域91に表示されている部屋の画像99のうち所望の画像が画像保存領域94にドラッグ・アンド・ドロップされることにより，ドロップされた画像の保存コマンドが第１のクライアント・コンピュータ11から第１のウェブ・サーバ１に送信される。
【００５８】
図３を参照して，上述のように画像保存領域94にドラッグ・アンド・ドロップされることにより（ステップ40），ドロップされた画像を保存するコマンドが第１のクライアント・コンピュータ１から第１のウェブ・サーバ11に送信される（ステップ41）。第１のクライアント・コンピュータ１に終了コマンドが与えられなければ（ステップ42でＮＯ），図３ステップ32の処理に戻る。
【００５９】
第１のクライアント・コンピュータ１から送信された保存コマンドが第１のウェブ・サーバ11において受信されると（図５ステップ65），その保存コマンドによって指定された画像ファイルが後述するレイアウト変更ウェブ・ページ（図12参照）のＵＲＬ（Uniform Resource Locator）に対応付けられて第１のウェブ・サーバ11において記憶される（図５ステップ66）。
【００６０】
同様にして部屋画像だけでなく，商品画像を表す画像ファイルもレイアウト変更ウェブ・ページのＵＲＬに対応付けられて第１のウェブ・サーバ11において記憶される。
【００６１】
図10は，画像取得用ウェブ・ページの100の一例である。この図において，図８に示すものと同一物については同一符号を付している。カテゴリ領域101，色指定領域102，表示順領域103における指定に応じて，商品画像108が表示されている。表示されている商品画像の中から所望の画像108が選択されることにより，上述のように，第１のクライアント・コンピュータ１の表示画面には図11に示す商品画像登録ウェブ・ページ90が表示される。
【００６２】
図11に示す商品画像登録ウェブ・ページ90において画像表示領域91に商品画像109が表示されている。所望の商品画像109が画像保存領域94にドラッグ・アンド・ドロップされることにより，ドロップされた商品画像109を表す画像ファイルがレイアウト変更ウェブ・ページのＵＲＬに対応して第１のウェブ・サーバ11に記憶されることは理解できよう。
【００６３】
再び，図３に戻って，商品登録ウェブ・ページ90が第１のクライアント・コンピュータ１の表示画面に表示されている場合においてレイアウト変更領域97がクリックされると（ステップ32），第１のクライアント・コンピュータ１から第１のウェブ・サーバ11にレイアウト変更ウェブ・ページ要求コマンドが送信される（ステップ50）。
【００６４】
第１のクライアント・コンピュータ１から送信されたレイアウト変更ウェブ・ページ要求コマンドが第１のウェブ・サーバ11において受信される（図５ステップ67でＹＥＳ）。すると，レイアウト・ファイル，部屋画像ファイル，商品画像ファイル，スペック・ファイルおよび画像保存ファイルが第１のウェブ・サーバ11から第１のクライアント・コンピュータ１に送信される（図５ステップ68）。画像保存ファイルは，画像保存領域94に保存されている画像を，レイアウト変更ウェブ・ページ110の画像保存領域94に表示するためのものである。レイアウト・ファイルは第１のクライアント・コンピュータ71において最初にレイアウトされるときにスペック・ファイルに記述されている内容を参照して生成される。
【００６５】
第１のウェブ・サーバ11から送信されたレイアウト・ファイル等が第１のクライアント・コンピュータ１において受信されると（図３ステップ51），第１のクライアント・コンピュータ１の表示画面には図12に示すレイアウト変更ウェブ・ページ110が表示される（ステップ52）。
【００６６】
図12は，レイアウト変更ウェブ・ページ110の一例である。
【００６７】
レイアウト変更ウェブ・ページ110には，ほぼ全体にレイアウト表示ウインドウ111が形成されている。このレイアウト表示ウインドウ111に，商品紹介画像120が表示されている。商品紹介画像120は，部屋画像121上に商品画像121〜127が表示されているものである。部屋画像121および商品画像121〜127は，第１のクライアント・コンピュータ１のユーザによって選択されたものである。
【００６８】
レイアウト表示ウインドウ111の左側にはキッチンの部屋を表すレイアウト変更ウェブ・ページを表示するときに第１のクライアント・コンピュータ１のユーザによってクリックされる第１の移動指令領域112が形成されている。また，レイアウト表示ウインドウ111の右側にはガレージの部屋を表すレイアウト変更ウェブ・ページを表示するときに第１のクライアント・コンピュータ１のユーザによってクリックされる第２の移動指令利用行き113が形成されている。
【００６９】
レイアウト表示ウインドウ111の下には，画像保存領域94が形成されている。この画像保存領域94には，上述した商品画像登録ウェブ・ページ90に表示される画像保存領域94と同様に，保存されている画像95が表示されている。
【００７０】
画像保存領域94の下には，部屋追加領域114，部屋削除領域115および商品画像登録領域116が形成されている。部屋追加領域114は新たに部屋（商品紹介画像を表示する新たなウェブ・ページ）を追加するときに第１のクライアント・コンピュータ１のユーザによってクリックされる領域である。部屋削除領域115は部屋を削除するときに第１のクライアント・コンピュータ１のユーザによってクリックされる領域である。商品画像登録領域116は，商品画像登録ウェブ・ページを表示するときに第１のクライアント・コンピュータ１のユーザによってクリックされる領域である。
【００７１】
レイアウト表示ウインドウ111に表示されている商品紹介画像120のうち部屋画像121上に表示されている商品画像122〜127は，ドラッグ・アンド・ドロップすることにより表示位置を変更することができる。また，レイアウト表示ウインドウ111に表示されている商品画像122〜127のうち所望の商品画像が画像保存領域94にドラッグ・アンド・ドロップされることにより，ドロップされた商品画像は画像保存領域94に表示され，かつレイアウト表示ウインドウ111から消える。商品保存領域94に表示されている画像95野中から所望の画像がレイアウト表示ウインドウ111にドラッグ・アンド・ドロップされることにより，ドロップされた商品画像がドロップされた位置に表示されるようになる。
【００７２】
図３に戻って，上述したように，レイアウト表示ウインドウ111に表示されている商品画像がレイアウト表示ウインドウ111内においてドラッグ・アンド・ドロップされる，レイアウト表示ウインドウ111に表示されている商品画像が画像保存領域94にドラッグ・アンド・ドロップされる，あるいは画像保存領域94に表示されている商品画像がレイアウト表示ウインドウ111内にドラッグ・アンド・ドロップされることにより，商品画像の表示位置の変更，表示される商品画像の変更が行われると（ステップ54），その変更内容（商品画像の表示位置の変更など）を表すレイアウト・ファイルが第１のクライアント・コンピュータ１から第１のウェブ・サーバ11に送信される（ステップ55）。
【００７３】
商品画像のドラッグ・アンド・ドロップが行われないと（図３ステップ53でＮＯ），商品画像登録領域116がクリックされたかどうかが判断される（図３ステップ56）。商品画像登録領域116がクリックされると（図３ステップ56でＹＥＳ），図４ステップ39の処理に以降する。
【００７４】
部屋追加領域114または部屋削除領域115がクリックされると（図３ステップ57でＹＥＳ），クリックされた領域に応じて部屋の追加または部屋の削除処理が行われる。いずれの領域もクリックされず（図３ステップ57でＮＯ），終了コマンドも与えられなければ（図３ステップ58でＮＯ），ステップ52からの処理が繰り返される。
【００７５】
図13は，レイアウト・ファイルに格納されるＸＭＬデータの一例である。分かりやすくするために，行数も示されている。
【００７６】
第１行は，ＸＭＬデータであることを示し，かつエンコーディング方法を示している。第２行は，部屋画像のついてのＩＤ，部屋画像の格納場所を示し，部屋画像を表すファイルのファイル名も示されている。
【００７７】
第３行から第11行，第12行から第20行，第21行から第29行，第30行から第38行，第39行から第47行，第48行から第56行は，それぞれが商品画像についての情報が記述されている。第57行はデータの終了を示している。
【００７８】
図13における記述において，filenameタグは，商品画像ファイルのファイル名を示している。urlタグは，商品画像のリンク先（リンク・データ）を示すものであり，商品画像の商品を販売している販売サイトのＵＲＬを示している。nameタグは，商品名を示している。priceタグは，商品の料金を示している。Commentタグは，商品に付与されるコメントを示している。ｘタグは，商品紹介画像上における商品画像の横方向の表示位置を示している。ｙタグは，商品紹介画像上における商品画像の縦方向の表示位置を示している。
【００７９】
図12に示したように，レイアウト変更ウェブ・ページ110の商品紹介ウインドウ111
内において商品画像の表示位置が変更させられた場合には，その変更位置に応じて，図13に示すｘタグおよびｙタグの値が変えられる。また，商品紹介画像120に含まれている商品画像が画像保存領域94にドラッグ・アンド・ドロップさせられることにより，商品紹介画像121から消去させられた場合には，その商品画像に対応する記述（itemタグにより挟まれている部分の記述）がＸＭＬデータから消去される。また，画像保存領域94に表示されている商品画像95が商品紹介ウインドウ111にドラッグ・アンド・ドロップさせられた場合には，その商品画像に対応するファイル名，リンク先のＵＲＬ，商品名，商品の料金，コメントならびに商品紹介画像121における商品画像の横方向の位置および縦方向の位置の記述が追加される。このようにしてレイアウトの変更に応じてＸＭＬデータが修正され，修正されたＸＭＬデータが格納されているレイアウト・ファイルが第１のクライアント・コンピュータ１から第１のウェブ・サーバ11に送信される。
【００８０】
図14および図15は，商品紹介ウェブ・ページを閲覧するときの商品紹介システムの処理手順を示すフローチャートである。図14は第２のウェブ・サーバ12の処理手順を示すフローチャートであり，図15は商品を閲覧するユーザである第１のクライアント・コンピュータ１または第２のクライアント・コンピュータ２の処理手順を示すフローチャートである。上述した商品の紹介者自身が商品を閲覧する場合には，第１のクライアント・コンピュータ１が第２のウェブ・サーバ12にアクセスすることとなる。商品の紹介者以外のユーザ（商品の閲覧者）が商品を閲覧する場合には，第２のクライアント・コンピュータの２が第２のウェブ・サーバ12にアクセスすることとなる。
【００８１】
上述のように，第１のクライアント・コンピュータ１においてレイアウト変更が行われると，レイアウト・ファイルが第１のクライアント・コンピュータ１から第２のウェブ・サーバ12に送信される。そのレイアウト・ファイルが第２のウェブ・サーバ12において受信される（図14ステップ131）。
【００８２】
商品紹介ウェブ・ページを閲覧するユーザは，第１のクライアント・コンピュータ１または第２のクライアント・コンピュータ２から第２のウェブ・サーバ12に，商品紹介ウェブ・ページをリクエストするリクエスト・データが送信される（図15ステップ141）。
【００８３】
リクエスト・データが第２のウェブ・サーバ12において受信されると（図14ステップ132でＹＥＳ），商品紹介ウェブ・ページに対応したレイアウト・ファイル，商品画像ファイルおよび商品スペック・ファイルが第２のウェブ・サーバ12からりクエストした第１のクライアント・コンピュータ１または第２のクライアント・コンピュータ２に送信される（図14ステップ133）。上述したように，レイアウト・ファイルに格納されているＸＭＬデータには部屋画像のファイル名，商品画像のファイル名が格納されているから商品紹介ウェブ・ページで使用される部屋画像ファイルおよび商品画像ファイルを見つけ出すことができる。また商品画像ファイルのファイル名によって，商品画像ファイルからその商品画像に対応する商品スペック・ファイルを特定することができるから，商品スペック・ファイルも見つけ出すことができる。
【００８４】
第２のウェブ・サーバ12から送信された部屋画像ファイル，商品画像ファイル，商品スペック・ファイルおよびレイアウト・ファイルがリクエストした第１のクライアント・コンピュータ１または第２のクライアント・コンピュータ２において受信されると（図15ステップ142），図16に示す商品紹介ウェブ・ページが表示画面に表示される（図15ステップ143）。
【００８５】
図16は，商品紹介ウェブ・ページ150の一例である。
【００８６】
商品紹介ウェブ・ページ150には，ほぼ全体に商品紹介ウインドウ151が形成されている。この商品紹介ウインドウ151に商品紹介画像160が表示されている。商品紹介画像160は，部屋画像ファイルによって表される部屋画像161上に，商品画像ファイルによって表される商品画像162〜167が表示されているものである。商品画像162〜167の表示位置は，レイアウト・ファイルに格納されているＸＭＬデータによって規定される。また商品紹介画像160にはＸＭＬデータに記述されているコメント168およびダイアログ・ボックス180も表示されている。
【００８７】
商品紹介ウインドウ151の左側には，他の部屋であるキッチンを表示するときにクリックされる第１の移動領域152が表示されている。また，商品紹介ウインドウ152の右側には，他の部屋であるガレージを表示するときにクリックされる第２の移動領域153が表示されている。
【００８８】
商品紹介ウインドウ151の下には，商品紹介ウインドウ151に表示されている商品紹介画像に似た部屋を探すときにクリックされる似た部屋サーチ領域154，商品紹介ウェブ・ページの制作者のブログを見るときにクリックされるブログ領域155，商品紹介ウインドウ151に表示されている商品の販売サイトを閲覧するときにクリックされる販売店舗領域156，お気に入り登録領域157およびコメント領域158が形成されている。コメント領域158がクリックされると，コメント記入ウインドウ（図示略）が現れ，そのコメント記入ウインドウにコメントを記入することができる。記入されたコメントは，レイアウト・ファイルのＸＭＬデータに記述される。
【００８９】
図17（Ａ）および（Ｂ）は，ダイアログ・ボックス180および190の一例である。
【００９０】
商品紹介ウェブ・ページ150の商品画像162〜167には，上述のようにリンク・データが埋め込まれている。リンク・データが埋め込まれている商品画像162〜167のうち，例えば，商品画像163がクリックされると，図18（Ａ）に示すダイアログ・ボックス180が現れる。
【００９１】
ダイアログ・ボックス180には，ユーザ（商品紹介者，商品閲覧者のいずれでもよい）によって記入されたコメント（レビュー）181が表示されている。このコメント181は，上述のように，コメント領域158がクリックされることにより現れるコメント記入ウインドウを用いてＸＭＬデータに記述されたものである。商品紹介者であれば図７に示す商品画像登録ウェブ・ページ９０におけるレビュー書き込み領域93Ｂを用いてレビューを書き込むこともできる。コメント181が長い場合に「続き」のホット・テキスト182が表示される。ホット・テキスト182がクリックされることにより，図18（Ｂ）に示す新たなダイアログ・ボックス190が現れる。このダイアログ・ボックス190に続きのコメントが表示される。
【００９２】
クリックされた商品画像にコメントが記入されていない場合には，ダイアログ・ボックス180にコメントは記述されずに後述する販売店舗領域183が表示されることとなろう。
【００９３】
図17（Ａ）に示すダイアログ・ボックスには，販売店舗領域183も形成されている。この販売店舗領域183がクリックされることにより，クリックされた商品画像163の商品を販売している商品販売サイトをリクエストするリクエスト・データがクライアント・コンピュータ１または２から第１のウェブ・サーバ11に送信される。リクエストした第１のクライアント・コンピュータ１または２の表示画面には，商品販売サイトのウェブ・ページが表示される。
【００９４】
図18は，商品販売ウェブ・ページ191の一例である。
【００９５】
この商品販売ウェブ・ページ191は，上述したように，商品画像にリンク先として規定されているものであり，その商品画像の商品を販売するウェブ・ページである。この商品販売ウェブ・ページを利用して商品を購入できる。このように，この実施例によると，部屋の画像上に所望の商品画像を配置することにより商品を紹介し，かつ商品画像に，その商品画像の商品を販売するウェブ・ページがリンク付けされているので，自由なレイアウトで商品を紹介することができ，かつ商品を購入させることができる。
【００９６】
図15に戻って，商品紹介ウインドウ151に表示されている商品画像がクリックされると（ステップ144でＹＥＳ），そのクリックされた商品画像に埋め込まれているリンク先である商品販売ウェブ・ページが第１のウェブ・サーバ１にリクエストされる（ステップ145）。
【００９７】
リクエストされた第１のウェブ・サーバ１は，リクエストした第１のクライアント・コンピュータ１または第２のクライアント・コンピュータ２に商品販売ウェブ・ページ・データを送信する。
【００９８】
第１のウェブ・サーバ１から送信された商品販売ウェブ・ページ・データが第１のクライアント・コンピュータ１または第２のクライアント・コンピュータ２において受信されると（ステップ146），表示画面上に商品販売ウェブ・ページが表示されることとなる（ステップ147）。
【００９９】
上述の実施例においては，図16ならびに図17（Ａ）および（Ｂ）に示すように，商品画像がクリックされることにより，ダイアログ・ボックス180などが表示され，そのダイアログ・ボックス180内に表示されている販売店舗領域183がクリックされることにより，図18に示すような販売店舗のウェブ・ページが表示されるが，商品画像がクリックされたことに応じて商品の販売店舗のウェブ・ページが表示されるようにしてもよい。
【０１００】
図19（Ａ）および（Ｂ）は，レイアウト変更ウェブ・ページ110（図12参照），商品紹介ウェブ・ページ150（図16参照）などに表示される商品画像の一例である。
【０１０１】
図19（Ａ）および図19（Ｂ）に示されている商品画像202および212は，商品画像202および212が貼り付けられていた画像が切り取られることにより得られる気の抜き画像200および210に含まれている。切り抜き画像200および210には，商品画像202および212の周りに商品画像202および212を切り抜いたときの余白部分画像201および211が付随している。レイアウト変更ウェブ・ページ110，商品紹介ウェブ・ページ150に商品紹介画像202，212の部分のみを貼り付けることができずに回りの余白部分201，211を含む切抜き画像200，210が表示されてしまうこととなる。余白部分201，211により見栄えが悪くなってしまう。
【０１０２】
図20（Ａ）および図20（Ｂ）は，商品画像222および232の一例である。
【０１０３】
商品画像部分222および232の部分のみを切り取ることにより，商品画像部分222および232の周りの部分（ハッチングで示す）221および231を，レイアウト変更ウェブ・ページ110および商品紹介ウェブ・ページ150の部屋画像121および161の背景に合わせることができる。このような画像220および230により，商品画像が表示されても違和感の無い商品レイアウト変更ページ110および商品紹介ページ150を表示できるようになる。
【図面の簡単な説明】
【０１０４】
【図１】商品紹介システムの概要を示している。
【図２】第２のウェブ・サーバの電気的構成を示すブロック図である。
【図３】第１のクライアント・コンピュータの処理手順を示すフローチャートである。
【図４】第１のクライアント・コンピュータの処理手順を示すフローチャートである。
【図５】第１のウェブ・サーバの処理手順を示すフローチャートである。
【図６】（Ａ）〜（Ｃ）は，ファイル構造を示している。
【図７】商品画像登録ウェブ・ページの一例である。
【図８】画像取得用ウェブ・ページの一例である。
【図９】商品画像登録ウェブ・ページの一例である。
【図１０】画像取得用ウェブ・ページの一例である。
【図１１】商品画像登録ウェブ・ページの一例である。
【図１２】レイアウト変更ウェブ・ページの一例である。
【図１３】ＸＭＬデータの一例である。
【図１４】第２のウェブ・サーバの処理手順を示すフローチャートである。
【図１５】第１のクライアント・コンピュータおよび第２のクライアント・コンピュータの処理手順を示すフローチャートである。
【図１６】商品紹介ウェブ・ページの一例である。
【図１７】（Ａ）および（Ｂ）は，ダイアログ・ボックスの一例である。
【図１８】商品販売サイトのウェブ・ページの一例である。
【図１９】（Ａ）および（Ｂ）は，商品画像の一例である。
【図２０】（Ａ）および（Ｂ）は，商品画像の一例である。
【符号の説明】
【０１０５】
１  第１のクライアント・コンピュータ
２  第２のクライアント・コンピュータ
11  第１のウェブ・サーバ
12  第２のウェブ・サーバ
【図１】
2010039591.tif 000003
【図２】
2010039591.tif 000004
【図３】
2010039591.tif 000005
【図４】
2010039591.tif 000006
【図５】
2010039591.tif 000007
【図６】
2010039591.tif 000008
【図７】
2010039591.tif 000009
【図８】
2010039591.tif 000010
【図９】
2010039591.tif 000011
【図１０】
2010039591.tif 000012
【図１１】
2010039591.tif 000013
【図１２】
2010039591.tif 000014
【図１３】
2010039591.tif 000015
【図１４】
2010039591.tif 000016
【図１５】
2010039591.tif 000017
【図１６】
2010039591.tif 000018
【図１７】
2010039591.tif 000019
【図１８】
2010039591.tif 000020
【図１９】
2010039591.tif 000021
【図２０】
2010039591.tif 000022